(57)【要約】【課題】ＰＯＳシステムにおける上位装置の負荷分散を図ること。【解決手段】上位装置２００と通知可能な、バーコード読取装置１００１  であって、バーコード５０を読取り、バーコード情報を出力する受光部１０６、Ａ／Ｄ変換部１０７および復調部１０８と、バーコード５０に対応するバーコード情報から取得した期日情報に基づいて、期限切れをチェックする主制御部１０９とを備え、主制御部１０９は、期限切れの場合、その旨をＬＥＤ１１３、スピーカ１１４およびディスプレイ１１５に報知させる。【選択図】      図１
2004152147.tif 000002
【特許請求の範囲】
【請求項１】
ＰＯＳシステムにおける上位装置との間で通信可能なバーコード読取装置において、
バーコードを読取り、バーコード情報を出力する読取手段と、
前記バーコード情報から期日情報を取得する期日情報取得手段と、
前記期日情報に基づいて、期限切れをチェックする期限切れチェック手段と、
期限切れの場合、その旨を報知する報知手段と、
を備えたことを特徴とするバーコード読取装置。
【請求項２】
前記期限切れチェック手段は、計時手段から得られる現在日時と、誤差時間を考慮した期日情報との比較結果に基づいて、前記期限切れをチェックすることを特徴とする請求項１に記載のバーコード読取装置。
【請求項３】
前記期限切れの場合、当該バーコード情報を前記上位装置へ送信する送信手段、を備えたことを特徴とする請求項１または２に記載のバーコード読取装置。
【請求項４】
日時設定バーコードを用いて前記計時手段の日時を設定する日時設定手段、を備えたことを特徴とする請求項２に記載のバーコード読取装置。
【請求項５】
ＰＯＳシステムにおける上位装置との間で通信可能なバーコード読取装置に適用されるバーコード読取制御方法において、
バーコードを読取り、バーコード情報を出力する読取工程と、
前記バーコード情報から期日情報を取得する期日情報取得工程と、
前記期日情報に基づいて、期限切れをチェックする期限切れチェック工程と、
期限切れの場合、その旨を報知する報知工程と、
を含むことを特徴とするバーコード読取制御方法。
【発明の詳細な説明】
【０００１】
【発明の属する技術分野】
本発明は、バーコードを光学的に読み取るためのバーコード読取装置およびバーコード読取制御方法に関するものであり、特に、ＰＯＳ（Ｐｏｉｎｔ  Ｏｆ  Ｓａｌｅ）システムにおける上位装置の負荷分散を図ることができるバーコード読取装置およびバーコード読取制御方法を提供することを目的とする。
【０００２】
【従来の技術】
従来より、商品の流通分野においては、バーコード読取装置（バーコードスキャナ）により、商品に付されたバーコードを光学的に読み取って、キャラクタからなるバーコード情報を上位装置に問い合わせ、当該商品名、価格等の商品情報や、商品の期限等の情報を得るためのＰＯＳシステムが用いられている。
【０００３】
図７は、従来のＰＯＳシステムの構成を示すブロック図である。同図において、バーコード読取装置１０１  〜１０ｎ  のそれぞれは、店舗内に配設されており、商品に付されたバーコードを光学的に読み取り、バーコード情報を上位装置２０へ送信する。
【０００４】
バーコードにおいては、商品に関する情報がキャラクタとしてコード化されており、黒バーと白バーとが交互に組み合わされてなる。バーコード読取装置１０１  〜１０ｎ  では、バーコード上をレーザダイオード等から発光されたビーム光を走査させて、このビームの反射光を受光して、黒バーおよび白バーの幅に対応する電気信号からバーコード情報を読み取っている。バーコード情報としては、商品コードや賞味期限等を表す日付の期日情報等である。
【０００５】
上位装置２０は、バーコードがスキャンされる毎にバーコード読取装置１０１  〜１０ｎ  から順次送信されるバーコード情報をキーとして、商品コードに対応して商品名、価格等の商品情報が登録されたＰＬＵファイル３０を検索し、問い合わせ元のバーコード読取装置へ商品情報を返信する。
【０００６】
また、上位装置２０は、バーコード情報から期日情報を取得し、この期日情報と、タイマ（図示略）から取得した現在日付情報とを比較し、期限切れ（賞味期限切れや有効期限切れ）になっているか否かに関する期限切れチェックを行う。ここで、期限切れである場合には、上位装置２０は、当該バーコード読取装置へ警告を出し、キャンセル処理を促す。
【０００７】
そして、警告を受けた当該バーコード読取装置のオペレータは、バーコードのスキャン操作を中断し、期限切れの商品に関するキャンセル処理を実行する。
【０００８】
また、バーコード読取装置１０１  〜１０ｎ  のうち、例えば、バーコード読取装置１０ｎ  は、ハンディ型であり、商品の棚卸しにも用いられる。この棚卸しにおいては、オペレータは、棚に陳列すべき商品のバーコードをスキャンする。これにより、バーコード読取装置１０ｎ  は、当該バーコードに対応するバーコード情報を上位装置２０へ送信する。
【０００９】
上位装置２０は、上述した動作と同様にして、上記バーコード情報に含まれる期日情報と、現在日付情報とを比較し、期限切れチェックを行う。期限切れである場合、上位装置２０は、バーコード読取装置１０ｎ  へ期限切れである旨の警告を出す。これにより、オペレータは、期限切れの当該商品を陳列対象から除外する。
【００１０】
【特許文献１】
特開平５−０５４２１１号公報
【特許文献２】
特開平８−３２９３５０号公報
【特許文献３】
特開平１１−１２０２４０号公報
【００１１】
【発明が解決しようとする課題】
ところで、前述したように、従来のＰＯＳシステムにおいては、１台の上位装置２０で、ｎ台のバーコード読取装置１０１  〜１０ｎ  からそれぞれ送信されるバーコード情報に基づいて、ＰＬＵファイル３０の検索の他に、期限切れチェックを行っているため、過負荷になるという問題があった。
【００１２】
特に、大規模店舗の場合には、バーコード読取装置の台数が１００台単位に及ぶ場合があり、上位装置２０として、過負荷に耐えうるハイエンドマシンの導入が必要となり、コストアップにつながる。
【００１３】
本発明は、上記に鑑みてなされたもので、ＰＯＳシステムにおける上位装置の負荷分散を図ることができるバーコード読取装置およびバーコード読取制御方法を提供することを目的とする。
【００１４】
【課題を解決するための手段】
上記目的を達成するために、本発明は、ＰＯＳシステムにおける上位装置との間で通信可能なバーコード読取装置において、バーコードを読取り、バーコード情報を出力する読取手段と、前記バーコード情報から期日情報を取得する期日情報取得手段と、前記期日情報に基づいて、期限切れをチェックする期限切れチェック手段と、期限切れの場合、その旨を報知する報知手段と、を備えたことを特徴とする。
【００１５】
また、本発明は、ＰＯＳシステムにおける上位装置との間で通信可能なバーコード読取装置に適用されるバーコード読取制御方法において、バーコードを読取り、バーコード情報を出力する読取工程と、前記バーコード情報から期日情報を取得する期日情報取得工程と、前記期日情報に基づいて、期限切れをチェックする期限切れチェック工程と、期限切れの場合、その旨を報知する報知工程と、を含むことを特徴とする。
【００１６】
かかる発明によれば、読み取られたバーコード情報から取得した期日情報に基づいて、期限切れをチェックし、期限切れの場合、その旨を報知することとしたので、従来のように上位装置で期限切れのチェックを行う場合に比べて、ＰＯＳシステムにおける上位装置の負荷分散を図ることができる。
【００１７】
【発明の実施の形態】
以下、図面を参照して本発明にかかるバーコード読取装置の一実施の形態について詳細に説明する。
【００１８】
図１は、本発明にかかる一実施の形態の構成を示すブロック図である。この図に示したＰＯＳシステムにおいて、バーコード読取装置１００１  〜１００ｎ  のそれぞれは、店舗内に配設されており、商品に付されたバーコードを光学的に読み取り、バーコード情報を上位装置２００へ送信する。
【００１９】
上位装置２００は、バーコードがスキャンされる毎にバーコード読取装置１００１  〜１００ｎ  から順次送信されるバーコード情報をキーとして、商品コードに対応して商品名、価格等の商品情報が登録されたＰＬＵファイル３００を検索し、問い合わせ元のバーコード読取装置へ商品情報を返信する。
【００２０】
ここで、一実施の形態において、前述した商品の期限切れチェックは、上位装置２００ではなく、バーコード読取装置１００１  〜１００ｎ  のそれぞれで実行されるように構成されている。
【００２１】
ここで、バーコード読取装置１００１  〜１００ｎ  で使用されるバーコードとしては、例えば、つぎの３種類のものがある。
（１）年月日バーコード
（２）年月バーコード
（３）日時設定バーコード
【００２２】
（１）年月日バーコードは、商品コードの他に、商品の期日情報として６桁の年月日（２００２年１０月０１日の場合には、「０２１００１」）がコード化されてなるバーコードである。但し、実際の期日情報の構成は、月年日である。この年月日バーコードとしては、例えば、省スペース型のＲＳＳ（Ｒｅｄｕｃｅｄ  Ｓｐａｃｅ  Ｓｙｍｂｏｌｏｇｙ）−Ｅｘｐａｎｄコードが挙げられる。
【００２３】
また、（２）年月バーコードは、商品コードの他に、商品の割引等に用いられるクーポンの期日情報（有効期限）として４桁の年月（２００２年１０月の場合には、「０２１０」）がコード化されてなるバーコードである。この年月バーコードとしては、例えば、クーポンコードのフォーマット２やフォーマット４が挙げられる。
【００２４】
また、（３）日時設定バーコードは、バーコード読取装置１００１  〜１００ｎ  のそれぞれに設けられたタイマの日時を設定するためのバーコードであり、年月日時分をそれぞれインクリメント、デクリメントするための以下の１０種類のバーコードからなる。
【００２５】
（ａ）年をインクリメントするバーコード
（ｂ）月をインクリメントするバーコード
（ｃ）日をインクリメントするバーコード
（ｄ）時をインクリメントするバーコード
（ｅ）分をインクリメントするバーコード
（ｆ）年をデクリメントするバーコード
（ｇ）月をデクリメントするバーコード
（ｈ）日をデクリメントするバーコード
（ｉ）時をデクリメントするバーコード
（ｊ）分をデクリメントするバーコード
【００２６】
バーコード読取装置１００１  において、レーザダイオード１０１は、レーザ制御部１０２により制御され、走査用のレーザビーム光を発する。ポリゴンミラー１０３は、レーザダイオード１０１からのレーザビーム光を反射させる鏡面体により構成されており、モータ１０４により回転されて、ビーム光の反射方向を変化させることにより、複数種類の走査パターンを与えるものである。モータ制御部１０５は、モータ１０４を駆動制御する。
【００２７】
また、ポリゴンミラー１０３により反射されたレーザビーム光は、バーコード５０の黒バーおよび白バーに、例えば左端から右端に向かう方向で照射される。ここで、バーコード５０としては、前述した年月日バーコード、年月バーコードまたは日時設定バーコードである。
【００２８】
受光部１０６は、バーコード５０に照射されたレーザビーム光の反射光を受光し、その強弱に応じた振幅値の電気信号に光電変換する。Ａ／Ｄ（Ａｎａｌｏｇ／Ｄｉｇｉｔａｌ）変換部１０７は、受光部１０６からの光電変換信号（アナログ信号）をディジタルサンプリングし、ディジタルの光電変換信号に変換する。
【００２９】
復調部１０８は、Ａ／Ｄ変換部１０７からの光電変換信号に基づいて、バーコードのキャラクタパターン（キャラクタ列）を復調する。また、復調部１０８は、復調結果をバーコード情報として出力する。
【００３０】
主制御部１０９は、各部を制御するものであり、前述した期限切れチェックや、タイマ１１０の日時設定、期限切れ時の警告処理等を実行する。この主制御部１０９の動作の詳細については、後述する。タイマ１１０は、計時機能を備えており、現在の年月日時分に対応する現在日付情報を時々刻々出力する。バッテリ１１１は、タイマ１１０へバックアップ用の電力を供給する。
【００３１】
メモリ１１２は、主制御部１０９で実行されるファームウェアや、誤差時間情報等を記憶する。誤差時間情報は、絶対時刻に対するタイマ１１０の誤差分を吸収するために設定され、期限切れチェック時に誤差分を丸め込むために用いられる。
【００３２】
例えば、図２に示したように、誤差時間情報が０時間に設定された場合、すなわち、タイマ１１０の誤差分が０である場合、主制御部１０９は、例えば、０２年０９月１５日の午前０時より前で期限切れでないと判断し、午前０時以降で期限切れと判断する。
【００３３】
また、誤差時間情報が２時間に設定された場合、すなわち、タイマ１１０の誤差分が２時間未満である場合、主制御部１０９は、例えば、０２年０９月１５日の午前０時よりも２時間遅らせた午前２時より前で期限切れでないと判断し、午前２時以降で期限切れと判断する。
【００３４】
同様にして、誤差時間情報が４時間に設定された場合、すなわち、タイマ１１０の誤差分が４時間未満である場合、主制御部１０９は、例えば、０２年０９月１５日の午前０時よりも４時間遅らせた午前４時より前で期限切れでないと判断し、午前４時以降で期限切れと判断する。
【００３５】
ＬＥＤ（Ｌｉｇｈｔ  Ｅｍｉｔｔｉｎｇ  Ｄｉｏｄｅ）１１３は、視覚用の報知手段であり、緑色、黄色等を発光する素子であり、主制御部１０９により、図３に示したパターンで、バーコードの読み取り成功時、期限切れ警告時、タイマ１１０への日付設定の完了時に点灯制御される。
【００３６】
スピーカ１１４は、聴覚用の報知手段であり、ＬＥＤ１１３に連動して、主制御部１０９により、図３に示したパターンで、バーコードの読み取り成功時、期限切れ警告時、タイマ１１０への日付設定の完了時に鳴動制御される。
【００３７】
ディスプレイ１１５は、視覚用の報知手段であり、ＬＥＤ１１３およびスピーカ１１４に連動して、主制御部１０９により、図３に示したパターンで、バーコードの読み取り成功時、期限切れ警告時、タイマ１１０への日付設定の完了時に表示制御される。
【００３８】
このディスプレイ１１５は、例えば、英数字が７セグメントで可能なタイプである。通信Ｉ／Ｆ（インタフェース）１１６は、所定の通信プロトコルに従って、上位装置２００との間の通信を制御する。なお、バーコード読取装置１００２  〜１００ｎ  も、上述したバーコード読取装置１００１  と同一構成とされている。
【００３９】
つぎに、一実施の形態の動作について、図４〜図６に示したフローチャートを参照しつつ説明する。以下では、主として、図１に示したバーコード読取装置１００１  でバーコードを読み取り、期限切れチェックを行う場合について説明する。
【００４０】
図４に示したステップＳＡ１では、バーコード読取装置１００１  の主制御部１０９は、受光部１０６、Ａ／Ｄ変換部１０７および復調部１０８によりバーコード５０が読み取られたか否かを判断し、この場合、判断結果を「Ｎｏ」として、同判断を繰り返す。
【００４１】
そして、バーコード５０として日時設定バーコードが読み取られると、主制御部１０９は、ステップＳＡ１の判断結果を「Ｙｅｓ」とする。ステップＳＡ２では、主制御部１０９は、バーコード５０が日時設定バーコードであるか否かを判断し、この場合、判断結果を「Ｙｅｓ」とする。
【００４２】
ステップＳＡ５では、前述した（ａ）〜（ｊ）のバーコードを組み合わせて、読み取らせ、タイマ１１０を正確な日時（年月日時分）に設定するという日時設定処理が実行される。ステップＳＡ６では、主制御部１０９は、読み取られたバーコード情報に基づいて、タイマ１１０の日時を、例えば、０２年１０月２日０９時００分に更新する。
【００４３】
ステップＳＡ７では、主制御部１０９は、図３に示したように、タイマ１１０の日付設定完了をＬＥＤ１１３、スピーカ１１４およびディスプレイ１１５に報知させた後、ステップＳＡ１の判断を行う。
【００４４】
また、バーコード５０として年月バーコードが読み取られると、主制御部１０９は、ステップＳＡ１の判断結果を「Ｙｅｓ」とした後、ステップＳＡ２の判断結果を「Ｎｏ」とする。ステップＳＡ３では、主制御部１０９は、バーコード５０が年月日バーコードであるか否かを判断し、この場合、判断結果を「Ｎｏ」とする。
【００４５】
ステップＳＡ４では、主制御部１０９は、バーコード５０が年月バーコードであるか否かを判断し、この場合、判断結果を「Ｙｅｓ」とする。ステップＳＡ９では、主制御部１０９は、年月期限チェック処理を実行する。
【００４６】
具体的には、図５に示したステップＳＢ１では、主制御部１０９は、バーコード５０（この場合、年月バーコード）から読み取られたバーコード情報から期日情報（年月）を取得する。ステップＳＢ２では、主制御部１０９は、期限切れチェックの基準となる判定日時を計算する。
【００４７】
この場合、ステップＳＢ１で取得された期日情報の年月に１ヶ月を加算した日の午前０時が判定日時とされる。例えば、期日情報の年月が０２年０９月である場合、判定日時は、０２年１０月０１日午前０時である。
【００４８】
ステップＳＢ３では、主制御部１０９は、メモリ１１２から誤差時間情報（図２参照）を読み出し、ステップＳＢ２で計算された判定日時に誤差時間情報から得られる誤差時間を加算し、加算結果を判定日時とする。例えば、誤差時間が２時間である場合、判定日時は、０２年１０月０１日午前２時である。
【００４９】
図４に戻り、ステップＳＡ１０では、主制御部１０９は、タイマ１１０より現在日時情報を取得する。ステップＳＡ１１では、主制御部１０９は、ステップＳＢ３（図５参照）で計算された判定日時と、上記現在日時情報から得られる現在日時とを比較する。
【００５０】
ステップＳＡ１２では、主制御部１０９は、バーコード５０（年月バーコード）に設定されたクーポン等が期限切れであるか否か、すなわち、現在日時が判定日時を経過しているか否かを判断する。この判断結果が「Ｎｏ」である場合、主制御部１０９は、ステップＳＡ１４の判断を行う。
【００５１】
この場合、ステップＳＡ１２の判断結果が「Ｙｅｓ」とし、ステップＳＡ１３では、主制御部１０９は、図３に示したように、期限切れ警告をＬＥＤ１１３、スピーカ１１４およびディスプレイ１１５に報知させる。
【００５２】
ステップＳＡ１４では、主制御部１０９は、バーコード５０（年月バーコード）から読み取られたバーコード情報を上位装置２００へ送信するか否かを判断する。例えば、期限切れの場合、主制御部１０９は、ステップＳＡ１４の判断結果を「Ｙｅｓ」とする。
【００５３】
ステップＳＡ１５では、主制御部１０９は、期限切れのバーコード５０（年月バーコード）に対応するバーコード情報を、期限切れである旨の情報とともに、通信Ｉ／Ｆ１１６を介して、上位装置２００へ送信する。これにより、上位装置２００は、当該年月バーコードが期限切れであることを認識する。一方、ステップＳＡ１４の判断結果が「Ｎｏ」である場合、ステップＳＡ１の判断が行われる。
【００５４】
また、バーコード５０として年月日バーコードが読み取られると、主制御部１０９は、ステップＳＡ１の判断結果を「Ｙｅｓ」とした後、ステップＳＡ２の判断結果を「Ｎｏ」とする。ステップＳＡ３では、主制御部１０９は、バーコード５０が年月日バーコードであるか否かを判断し、この場合、判断結果を「Ｙｅｓ」とする。
【００５５】
ステップＳＡ８では、主制御部１０９は、年月日期限チェック処理を実行する。具体的には、図６に示したステップＳＣ１では、主制御部１０９は、バーコード５０（この場合、年月日バーコード）から読み取られたバーコード情報から期日情報（年月日）を取得する。ステップＳＣ２では、主制御部１０９は、期限切れチェックの基準となる判定日時を計算する。
【００５６】
この場合、ステップＳＣ１で取得された期日情報の年月日に１日を加算した日の午前０時が判定日時とされる。例えば、期日情報の年月日が０２年０９月１５日である場合、判定日時は、０２年０９月１６日午前０時である。
【００５７】
ステップＳＣ３では、主制御部１０９は、メモリ１１２から誤差時間情報（図２参照）を読み出し、ステップＳＣ２で計算された判定日時に誤差時間情報から得られる誤差時間を加算し、加算結果を判定日時とする。例えば、誤差時間が２時間である場合、判定日時は、０２年０９月１６日午前２時である。
【００５８】
図４に戻り、ステップＳＡ１０では、主制御部１０９は、タイマ１１０より現在日時情報を取得する。ステップＳＡ１１では、主制御部１０９は、ステップＳＣ３（図６参照）で計算された判定日時と、上記現在日時情報から得られる現在日時とを比較する。
【００５９】
ステップＳＡ１２では、主制御部１０９は、バーコード５０（年月日バーコード）に設定されたクーポン等が期限切れであるか否か、すなわち、現在日時が判定日時を経過しているか否かを判断する。この判断結果が「Ｎｏ」である場合、主制御部１０９は、ステップＳＡ１４の判断を行う。
【００６０】
この場合、ステップＳＡ１２の判断結果が「Ｙｅｓ」とし、ステップＳＡ１３では、主制御部１０９は、図３に示したように、期限切れ警告をＬＥＤ１１３、スピーカ１１４およびディスプレイ１１５に報知させる。
【００６１】
ステップＳＡ１４では、主制御部１０９は、バーコード５０（年月日バーコード）から読み取られたバーコード情報を上位装置２００へ送信するか否かを判断する。例えば、期限切れの場合、主制御部１０９は、ステップＳＡ１４の判断結果を「Ｙｅｓ」とする。
【００６２】
ステップＳＡ１５では、主制御部１０９は、期限切れのバーコード５０（年月日バーコード）に対応するバーコード情報を、期限切れである旨の情報とともに、通信Ｉ／Ｆ１１６を介して、上位装置２００へ送信する。これにより、上位装置２００は、当該年月日バーコードが期限切れであることを認識する。一方、ステップＳＡ１４の判断結果が「Ｎｏ」である場合、ステップＳＡ１の判断が行われる。
【００６３】
以上説明したように、一実施の形態によれば、受光部１０６、Ａ／Ｄ変換部１０７および復調部１０８で読み取られたバーコード情報から取得した期日情報に基づいて、期限切れをチェックし、期限切れの場合、その旨をＬＥＤ１１３、スピーカ１１４およびディスプレイ１１５（図２参照）で報知することとしたので、従来のように上位装置で期限切れのチェックを行う場合に比べて、ＰＯＳシステムにおける上位装置２００の負荷分散を図ることができる。
【００６４】
また、一実施の形態によれば、タイマ１１０から得られる現在日時情報と、誤差時間情報を考慮した判定日時との比較結果に基づいて、期限切れをチェックすることとしたので、タイマ１１０の誤差分を補償することができ、期限切れのチェック精度を高めることができる。
【００６５】
また、一実施の形態によれば、期限切れの場合、当該バーコード情報を上位装置２００へ送信することとしたので、上位装置２００側で期限切れの結果を把握することができる。
【００６６】
また、一実施の形態によれば、バーコード５０として、日時設定バーコードを用いてタイマ１１０の日時を設定することとしたので、日時設定作業の簡略化を図ることができる。
【００６７】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００６８】
（付記１）ＰＯＳシステムにおける上位装置との間で通信可能なバーコード読取装置において、
バーコードを読取り、バーコード情報を出力する読取手段と、
前記バーコード情報から期日情報を取得する期日情報取得手段と、
前記期日情報に基づいて、期限切れをチェックする期限切れチェック手段と、
期限切れの場合、その旨を報知する報知手段と、
を備えたことを特徴とするバーコード読取装置。
【００６９】
（付記２）前記期限切れチェック手段は、計時手段から得られる現在日時と、誤差時間を考慮した期日情報との比較結果に基づいて、前記期限切れをチェックすることを特徴とする付記１に記載のバーコード読取装置。
【００７０】
（付記３）前記期限切れの場合、当該バーコード情報を前記上位装置へ送信する送信手段、を備えたことを特徴とする付記１または２に記載のバーコード読取装置。
【００７１】
（付記４）日時設定バーコードを用いて前記計時手段の日時を設定する日時設定手段、を備えたことを特徴とする付記２に記載のバーコード読取装置。
【００７２】
（付記５）ＰＯＳシステムにおける上位装置との間で通信可能なバーコード読取装置に適用されるバーコード読取制御方法において、
バーコードを読取り、バーコード情報を出力する読取工程と、
前記バーコード情報から期日情報を取得する期日情報取得工程と、
前記期日情報に基づいて、期限切れをチェックする期限切れチェック工程と、
期限切れの場合、その旨を報知する報知工程と、
を含むことを特徴とするバーコード読取制御方法。
【００７３】
（付記６）前記期限切れチェック工程では、計時手段から得られる現在日時と、誤差時間を考慮した期日情報との比較結果に基づいて、前記期限切れをチェックすることを特徴とする付記５に記載のバーコード読取制御方法。
【００７４】
（付記７）前記期限切れの場合、当該バーコード情報を前記上位装置へ送信する送信工程、を含むことを特徴とする付記５または６に記載のバーコード読取制御方法。
【００７５】
（付記８）日時設定バーコードを用いて前記計時手段の日時を設定する日時設定工程、を含むことを特徴とする付記６に記載のバーコード読取制御方法。
【００７６】
【発明の効果】
以上説明したように、本発明によれば、読み取られたバーコード情報から取得した期日情報に基づいて、期限切れをチェックし、期限切れの場合、その旨を報知することとしたので、従来のように上位装置で期限切れのチェックを行う場合に比べて、ＰＯＳシステムにおける上位装置の負荷分散を図ることができるという効果を奏する。
【００７７】
また、本発明によれば、計時手段から得られる現在日時と、誤差時間を考慮した期日情報との比較結果に基づいて、期限切れをチェックすることとしたので、計時手段の誤差分を補償することができ、期限切れのチェック精度を高めることができるという効果を奏する。
【００７８】
また、本発明によれば、期限切れの場合、当該バーコード情報を上位装置へ送信することとしたので、上位装置側で期限切れの結果を把握することができるという効果を奏する。
【００７９】
また、本発明によれば、日時設定バーコードを用いて計時手段の日時を設定することとしたので、日時設定作業の簡略化を図ることができるという効果を奏する。
【図面の簡単な説明】
【図１】本発明にかかる一実施の形態の構成を示すブロック図である。
【図２】同一実施の形態における誤差時間情報を説明する図である。
【図３】同一実施の形態における各種報知方法を説明する図である。
【図４】同一実施の形態の動作を説明するフローチャートである。
【図５】図４に示した年月期限チェック処理を説明するフローチャートである。
【図６】図４に示した年月日期限チェック処理を説明するフローチャートである。
【図７】従来のＰＯＳシステムの構成を示すブロック図である。
【符号の説明】
１００１  ，１００２  ，１００ｎ  バーコード読取装置
１０６  受光部
１０７  Ａ／Ｄ変換部
１０８  復調部
１０９  主制御部
１１０  タイマ
１１２  メモリ
１１３  ＬＥＤ
１１４  スピーカ
１１５  ディスプレイ
２００  上位装置
【図１】
2004152147.tif 000003
【図２】
2004152147.tif 000004
【図３】
2004152147.tif 000005
【図４】
2004152147.tif 000006
【図５】
2004152147.tif 000007
【図６】
2004152147.tif 000008
【図７】
2004152147.tif 000009